(57)【要約】      （修正有）【課題】端子台ケースに第１端子台カバーを取付けるとき、端子台ケースと第１端子台カバーの接触を良好とし火炎が外部に漏れないようにした空気調和機を提供する。【解決手段】本体の内部に熱交換器と送風ファンと電装品箱５０とを備え、電装品箱は、本体の外部に導出するケーブルを接続するための端子台８１を取り囲む金属製の端子台ケース８０と、端子台の前面を覆い端子台ケースに取付けられる端子台カバー９０とを有する空気調和機であって、端子台ケースは、上端に平面部８３を備え、端子台カバーは、端子台を覆い上端に端子台ケースの平面部に重なる平面部９１０を備える金属製の第１端子台カバー９１と、第１端子台カバーを覆い第１端子台カバーの平面部に当接する当接部９２０を備える樹脂製の第２端子台カバー９２とからなる。【選択図】図３
2014156993.tif 000002
【特許請求の範囲】
【請求項１】
本体内に熱交換器と送風ファンと電装品箱とを備え、前記電装品箱は、本体外に導出するケーブルを接続するための端子台を取り囲む金属製の端子台ケースと、前記端子台の前面を覆い前記端子台ケースに取付けられる端子台カバーとを有する空気調和機において、
前記端子台ケースは、上端に平面部を備え、
前記端子台カバーは、前記端子台を覆い上端に前記端子台ケースの平面部に重なる平面部を備える金属製の第１端子台カバーと、前記第１端子台カバーを覆い前記第１端子台カバーの平面部に当接する当接部を備える樹脂製の第２端子台カバーとからなる空気調和機。
【発明の詳細な説明】
【技術分野】
【０００１】
本発明は、空気調和機の室内機に係わり、特に、本体の内部に配置された電装品箱の構造に関する。
【背景技術】
【０００２】
従来の空気調和機の室内機は、本体には、前面側に内部の熱交換器などの部品を覆う意匠パネルと、天面に室内の空気を吸込む吸込口と、下部前面に熱交換器で冷媒と熱交換した空気を室内に吹き出す吹出口とを有している。本体の内部には、熱交換器の他に、室内の空気を吸い込んで吹き出すための送風ファンと、熱交換器および送風ファンを通過した空気を吹出口へ導く空気通路を形成するファンケーシングを備えた構造になっている。このファンケーシングは、上下方向よりも左右方向に長い形状で送風ファンを収容している。また、本体の内部には、ファンケーシングの空気通路よりも右側には送風ファンなどを駆動するための電装品箱が配置されている。
【０００３】
この電装品箱は、制御基板や端子台などが収納され端子台を外部に露出させる開口を有する難燃性樹脂製の端子台ケースと、端子台ケースに取付けられ開口から見える端子台を覆う難燃性樹脂製の第１端子台カバーと、第１端子台カバーを覆う金属製の第２端子台カバーとを備えた構造が知られている（例えば、特許文献１参照）。特許文献１のように、難燃性樹脂製の第１端子台カバーを金属製の第２端子台カバーで覆い第１端子台カバーおよび第２端子台カバーを端子台ケースに取付けて端子台を覆うことにより、万一トラッキングやショートなどにより端子台などから発火した場合に火炎が電装品箱から漏れず、本体や意匠パネルなどへの延焼を防ぐことができるようになっている。
【先行技術文献】
【特許文献】
【０００４】
【特許文献１】特開２０１１−１０６７５３号公報
【発明の概要】
【発明が解決しようとする課題】
【０００５】
ところで、端子台などからの火炎を電装品箱内に止めて本体や意匠パネルなどへの影響を最小限にするために、端子台ケースに取付けられる端子台に近い第１端子台カバーを金属製に、第１端子台カバーを覆う第２端子台カバーを樹脂製に替えた場合を考える。端子台を金属製の第１端子台カバーで覆うに当たって、端子台を取り囲んでいる端子台ケースに第１端子台カバーの先端を突き当てるように合わせる場合、第１端子台カバーが薄い板金になっているので接触面積が小さく、端子台ケースと第１端子台カバーとの合わせ目が十分に接触しないおそれがあり、万一トラッキングやショートなどにより端子台などから発火した場合に、合わせ目から火炎が外部に漏れることがある。
本発明は上記問題点に鑑み、端子台ケースに第１端子台カバーを取付けるとき、端子台ケースと第１端子台カバーの接触を良好とし、万一トラッキングやショートなどにより端子台などから発火した場合に、火炎が外部に漏れないようにした空気調和機を提供することを目的とする。
【課題を解決するための手段】
【０００６】
上記課題を解決するため、本発明の空気調和機は、本体内に熱交換器と送風ファンと電装品箱とを備え、電装品箱は、本体外に導出するケーブルを接続するための端子台を取り囲む金属製の端子台ケースと、端子台の前面を覆い端子台ケースに取付けられる端子台カバーとを有するものであって、端子台ケースは、上端に平面部を備え、端子台カバーは、端子台を覆い上端に端子台ケースの平面部に重なる平面部を備える金属製の第１端子台カバーと、第１端子台カバーを覆い第１端子台カバーの平面部に当接する当接部を備える樹脂製の第２端子台カバーとからなる。
【発明の効果】
【０００７】
本発明の空気調和機によれば、端子台ケースに第１端子台カバーを取付けるとき、端子台ケースと第１端子台カバーの接触を良好とし、万一トラッキングやショートなどにより端子台などから発火した場合に、火炎が外部に漏れないようにすることができる。
【図面の簡単な説明】
【０００８】
【図１】本発明による空気調和機の室内機を示す説明図で、（ａ）は外観斜視図、（ｂ）は断面図である。
【図２】図１における本体を取外した状態を示す外観斜視図である。
【図３】図２における電装品箱を示す説明図で、（ａ）は分解斜視図、（ｂ）は（ａ）における端子台カバーを別の角度から視た分解斜視図である。
【図４】電装品箱の端子台ケースから端子台カバーを取外した状態を示す説明図で、（ａ）は分解断面図、（ｂ）は（ａ）の部分拡大断面図である。
【図５】電装品箱の端子台ケースに端子台カバーを取付けた状態を示す部分拡大断面図である。
【発明を実施するための形態】
【０００９】
以下、本発明の実施形態を添付図面に基づき詳細に説明する。本実施形態による空気調和機の室内機として、図１乃至図５に示すように、壁掛型の室内機１を例に挙げて説明する。図１および図２に示すように、室内機１は、上下方向に比べ左右方向に長い箱状の本体１０を備え、本体１０の上部には吸込口１１が形成され、本体１０の下部には吹出口１２が形成されている。本体１０の内部には、吸込口１１と吹出口１２とを結ぶ空気通路１３に上流から下流に向かって熱交換器２０、送風ファン３０、ファンケーシング４０がそれぞれ配置されている。室内機１は、吸込口１１から吸込んだ室内の空気を熱交換器２０で冷媒と熱交換し、送風ファン３０の回転により熱交換された空気をファンケーシング４０により吹出口１２へ導いて吹出口１２から室内に吹出す構造になっている。
【００１０】
ファンケーシング４０は、熱交換器２０および送風ファン３０を通過した空気を吹出口１２へ導く空気通路１３の一部を成し、上下方向に比べ左右方向に長い形状で送風ファン３０を回動可能に収容している。また、本体１０の内部には、ファンケーシング４０の空気通路１３よりも右側に、図２に示すように、送風ファン３０などを駆動するための電装品箱５０が配置されている。
【００１１】
電装品箱５０は、図３および図４に示すように、後側に制御基板ケース６０と制御基板カバー７０を、前側に端子台ケース８０と端子台カバー９０を備え、制御基板ケース６０と端子台ケース８０は区画され一体的に形成されている。制御基板ケース６０は、板金で一面が開口された箱状に形成された金属製のケースであり、送風ファン３０などを駆動するための制御基板６１を内部に備える。制御基板カバー７０は、板金で形成された金属製のカバーであり、制御基板ケース６０の開口を塞ぐように制御基板ケース６０に取付けられている。
【００１２】
端子台ケース８０は、板金で箱状に形成された金属製のケースであり、本体１０の外部に導出するケーブル（図示省略）を接続するための端子台８１を取り囲み、ケーブルの接続作業時やメンテナンス時に端子台８１が確認できるように開口８２を有している。また、端子台ケース８０は、端子台８１に接続したケーブルが通るように下端を開放するように形成され、上端に上下方向に比べ左右方向に長い平面部８３を備えている。さらに、端子台ケース８０は、左側下部のボスにネジ孔８４が形成されている。
【００１３】
端子台カバー９０は、金属製の第１端子台カバー９１と樹脂製の第２端子台カバー９２とからなっている。第１端子台カバー９１は、端子台８１に接続したケーブルが通るように下端を開放するように板金を折り曲げることで前板と天板と左右の側板が一体的に形成され、開口８２から見える端子台８１を覆い天板の上端に端子台ケース８０の平面部８３に重なる平面部９１０を備えている。この平面部９１０は、平面部８３と同様に上下方向に比べ左右方向に長く、図４のように第１端子台カバー９１の天板の上端を断面凸状に折り曲げることで形成されている。また、第１端子台カバー９１は、左右の側板の下端にそれぞれ矩形状の係止孔９１１が形成されている。
【００１４】
一方、第２端子台カバー９２は、樹脂で前板と天板と底板と左右の側板が一体的に形成され、第１端子台カバー９１を覆い天板の上端に第１端子台カバー９１の平面部９１０に当接する当接部９２０を備えている。この当接部９２０は、平面部９１０と同様に上下方向に比べ左右方向に長く、図４のように平面部９１０に向けて突出するように形成されている。また、第２端子台カバー９２は、左右の側板の内側下部に第１端子台カバー９１の係止孔９１１に嵌め込んで第１端子台カバー９１を係止する係止爪９２１が形成されている。さらに、第２端子台カバー９２は、前板の左側下部に端子台ケース８０のネジ孔８４に重なるネジ挿通孔９２２が形成されている。
【００１５】
次に、端子台ケース８０に端子台カバー９０を取付ける方法について説明する。図３乃至図５に示すように、第２端子台カバー９２の当接部９２０に第１端子台カバー９１の平面部９１０を位置合わせするとともに、第２端子台カバー９２の係止爪９２１に第１端子台カバー９１の係止孔９１１を嵌め込む。これにより、図４（ａ）に示すように、予め、第２端子台カバー９２に第１端子台カバー９１が係止された端子台カバー９０として組立てられる。このとき、第２端子台カバー９２の当接部９２０が第１端子台カバー９１の平面部９１０に当接される。
【００１６】
その後、図４（ｂ）および図５に示すように、端子台ケース８０の平面部８３に第１端子台カバー９１の平面部９１０を重ね合わせるとともに、端子台ケース８０のネジ孔８４に第２端子台カバー９２のネジ挿通孔９２２を重ね合わせる。これにより、端子台８１の前面が端子台カバー９０で覆われる。
【００１７】
次に、図５に示すように、端子台ケース８０のネジ孔８４および第２端子台カバー９２のネジ挿通孔９２２にネジ９２３を通してネジ止めする。これにより、第２端子台カバー９２の当接部９２０が、第１端子台カバー９１の平面部９１０に押し付けられ、第１端子台カバー９１の平面部９１０が端子台ケース８０の平面部８３に押し付けられる。すると、第１端子台カバー９１の平面部９１０と端子台ケース８０の平面部８３が接触された状態で、端子台ケース８０に端子台カバー９０が取付けられる。
【００１８】
以上説明してきた実施形態による空気調和機の室内機１によれば、端子台ケース８０は、上端に平面部８３を備え、端子台カバー９０は、端子台８１を覆い上端に端子台ケース８０の平面部８３に重なる平面部９１０を備える金属製の第１端子台カバー９１と、第１端子台カバー９１を覆い第１端子台カバー９１の平面部９１０に当接する当接部９２０を備える樹脂製の第２端子台カバー９２とからなっている。
【００１９】
これにより、端子台８１を取り囲んでいる端子台ケース８０に第１端子台カバー９１を取付けるとき、第１端子台カバー９１が薄い板金製であっても、端子台ケース８０の平面部８３と第１端子台カバー９１の平面部９１０との接触になっているため、その接触面積を大きくすることができ、端子台ケース８０と第１端子台カバー９１との合わせ目を十分に接触した状態にすることができる。また、第２端子台カバー９２の当接部９２０により、第１端子台カバー９１の平面部９１０が端子台ケース８０の平面部８３に押し付けられるようになっているため、第１端子台カバー９１の平面部９１０と端子台ケース８０の平面部８３との接触状態を良好にすることができる。この結果、万一トラッキングやショートなどにより端子台８１などから発火した場合に、端子台ケース８０の平面部８３と第１端子台カバー９１の平面部９１０との合わせ目から火炎が電装品箱５０の外部に漏れず、本体１０などへの延焼を防ぐことができる。また、端子台８１に近い第１端子台カバー９１が金属製に、第１端子台カバー９１を覆う第２端子台カバー９２が樹脂製になっているので、端子台８１などからの火炎を電装品箱５０の内部に止めて本体１０などへの影響を最小限にすることができる。
【００２０】
なお、本実施形態では、火炎は主に端子台８１などから上昇することから、端子台ケース８０の上端に平面部８３を備え、第１端子台カバー９１の上端に平面部９１０を備え、第２端子台カバー９２の上端に当接部９２０を備えるようにしたが、端子台ケース８０と第１端子台カバー９１の上端以外に両側端にも平面部をそれぞれ備え、第２端子台カバー９２の上端以外に両側部にも当接部を備えるようにしてもよい。この場合、端子台ケース８０と第１端子台カバー９１とのそれぞれの両側部の合わせ目からも火炎が電装品箱５０の外部に漏れないようにすることができる。
【符号の説明】
【００２１】
１  室内機
１０  本体
１１  吸込口
１２  吹出口
１３  空気通路
２０  熱交換器
３０  送風ファン
４０  ファンケーシング
５０  電装品箱
６０  制御基板ケース
６１  制御基板
６２  開口
７０  制御基板カバー
８０  端子台ケース
８１  端子台
８２  開口
８３  平面部
８４  ネジ孔
９０  端子台カバー
９１  第１端子台カバー
９１０  平面部
９１１  係止孔
９２  第２端子台カバー
９２０  当接部
９２１  係止爪
９２２  ネジ挿通孔
９２３  ネジ
【図１】
2014156993.tif 000003
【図２】
2014156993.tif 000004
【図３】
2014156993.tif 000005
【図４】
2014156993.tif 000006
【図５】
2014156993.tif 000007